(57)【要約】      （修正有）【課題】コート紙や、アート紙、模造紙等の用紙を取り出し易く収納する用紙ケースに関し、特にサイズの大きな用紙でもコンパクトに収納でき、用紙の取り出しを容易に行うことができる用紙収納ケースを提供するものである。【解決手段】用紙収納ケース１の用紙収納部２には巻き三つ折りに折り畳まれた用紙５が収納され、蓋部３を開け、内側の用紙１枚を指で掴み、上方に引き上げることによって簡単に用紙５を用紙ケース１から取り出すことができる。また、用紙収納ケース１の開口部６に先端面が突出する用紙を、更に簡単に取り出すことができる。【選択図】図３
2011246184.tif 000002
【特許請求の範囲】
【請求項１】
用紙収納部と、該用紙収納部の上部に設けられた蓋部とを有する用紙ケースであって、
前記用紙収納部には、巻き三つ折りに折り畳まれた用紙が収納されていることを特徴とする用紙ケース。
【請求項２】
前記巻き三つ折りに折り畳まれた用紙の一の側端面、及び折部はケースの底部に当接することを特徴とする請求項１記載の用紙ケース。
【請求項３】
前記巻き三つ折りに折り畳まれた用紙の一の側端面はケースの底部に当接し、用紙の折部はケースの突出部に保持されることを特徴とする請求項１記載の用紙ケース。
【請求項４】
前記突出部は、前記ケースの底部に切り込みを形成し、該切り込みを折り曲げることによって形成されることを特徴とする請求項３記載の用紙ケース。
【発明の詳細な説明】
【技術分野】
【０００１】
本発明はコート紙や、アート紙、模造紙等の用紙を取り出し易く収納する用紙収納ケースに関する。
【背景技術】
【０００２】
今日、コート紙や、アート紙、模造紙、色上質紙、和紙、再生紙等の多くの種類の用紙が使用されている。このような用紙は通常ケースに収納され、必要に応じて１枚ずつ取り出し、使用される。
【０００３】
特許文献１は上記要望に基づいて提案さえた紙収納ケースの発明であり、図７にその概略を示す。この紙収納ケース２０は縦型であり、円弧状の紙収納部２１を有し、この紙収納部２１に収納された用紙２２は開口部２３から取り出される。また、開口部２３の一部には切欠き部２４が形成され、用紙２２を取り出し易く構成している。
【先行技術文献】
【特許文献】
【０００４】
【特許文献１】特開２００２−１４６９５４号公報
【発明の概要】
【発明が解決しようとする課題】
【０００５】
しかしながら、上記従来の紙収納ケースでは、紙収納部２１に用紙２２が折り曲げられることなく縦方向に収納されている。したがって、サイズの大きな用紙を収納する場合、ケース自体のサイズも大きくなる。また、腰の弱い用紙では、紙収納部２１内で上下方向に波打ち、用紙を確実に収納することが難かしい。
【０００６】
そこで、本発明は、サイズの大きな用紙でもコンパクトに収納でき、用紙の取り出しを簡単に行うことができる用紙収納ケースを提供するものである。
【課題を解決するための手段】
【０００７】
上記課題は本発明によれば、用紙収納部と、該用紙収納部の上部に設けられた蓋部とを有する用紙収納ケースであって、前記用紙収納部には、巻き三つ折りに折り畳まれた用紙が収納されている用紙ケースを提供することによって達成できる。
【０００８】
また、前記巻き三つ折りに畳まれた用紙の一の側端面、及び折部は、例えばケースの底部に当接する構成である。また、前記巻き三つ折りに畳まれた用紙の一の側端面は、例えばケースの底部に当接し、用紙の折部はケースの突出部に保持される。さらに、前記突出部は、例えば前記ケースの底部に切り込みを形成し、該切り込みを折り曲げることによって形成する。
【発明の効果】
【０００９】
本発明によれば、サイズの大きな用紙でも収納でき、かつ比較的腰の弱い用紙であっても、巻き三つ折りに折り畳み収納することによって、本例の用紙ケースを使用して用紙の取り出しを容易に行うことができる。
【図面の簡単な説明】
【００１０】
【図１】本発明の用紙ケースの全体構成図である。
【図２】第１の実施形態の用紙収納部内に収納される用紙の状態を示す図である。
【図３】用紙ケースの蓋部を開けた状態を示す斜視図である。
【図４】用紙を取り出す状態を示す図である。
【図５】第２の実施形態の用紙収納部内に収納される用紙の状態を示す図である。
【図６】用紙ケースの底部に突出部が形成された状態を示す図である。
【図７】従来の紙収納ケースを説明する図である。
【発明を実施するための形態】
【００１１】
以下、図面を参照しながら本発明の実施の形態について説明する。
（第１の実施形態）
【００１２】
図１は本例の用紙ケースの全体構成図である。同図において、用紙ケース１は用紙収納部２、蓋部３、及び蓋部３に形成された窓部４で構成されている。用紙ケース１は厚さ１、５ｍｍ程度の厚紙で形成され、用紙収納部２に用紙が収納される。
【００１３】
用紙収納部２に収納される用紙は、例えばコート紙や、アート紙、模造紙、色上質紙、和紙等であり、比較的腰の弱い用紙であっても収納することができる。また、用紙収納部２に収納する用紙は、サイズの大きい用紙であっても収納可能である。
【００１４】
図２は用紙収納部２内に収納される用紙の状態を示す図である。同図に示すように、用紙５は所謂巻き三つ折りに折り畳まれ、一の側端面５ａ、及び折部５ｂを用紙収納部２の底部に当接させて収納される。
【００１５】
図３は上記構成の用紙ケース１の蓋部３を開けた状態を示す斜視図である。用紙収納部２は開口され、開口部６には用紙５の他の側端面５ｃ（図２参照）が位置する。したがって、用紙５を使用する際には蓋部３を開け、側端面５ｃに位置する用紙５を取り出す。
【００１６】
図４は用紙５を取り出す状態を示す図である。具体的には、用紙５の側端面５ｃ（図２参照）と折部５ｄ（図２参照）の間に指７を入れ、内側の用紙１枚を指で掴み、上方に引き上げる。上記のように、用紙５は用紙収納部２内で巻き三つ折りに折り畳まれており、掴んだ用紙５を引き上げることにより、用紙５を用紙ケース１からスムーズに取り出すことができる。
【００１７】
したがって、上記のように構成することにより、サイズの大きな用紙でも用紙ケース１に収納し、用紙５の取り出しを容易に行うことができる。また、比較的腰の弱い用紙であっても、本例の用紙ケース１を使用して用紙の取り出しを容易に行うことができる。
尚、上記説明では、巻き三つ折りされた用紙５を収納した例で説明したが、巻き三つ折りに限らず、例えば二つ折り、又は蛇腹折した用紙を用紙収納部２に収納してもよい。このように構成することにより、よりサイズの大きな用紙をコンパクトに用紙ケースに収納し、用紙の取り出しを容易に行うことができる。
（第２の実施形態）
【００１８】
次に、本発明の第２の実施形態について説明する。
尚、本実施形態においても、前述の図１に示す用紙収納ケースの全体構成図を使用し、同一部材には同じ番号付して説明する。
【００１９】
前述のように、用紙ケース１は用紙収納部２、蓋部３、及び蓋部３に形成された窓部４で構成され、例えば用紙ケース１は厚さ１、５ｍｍ程度の厚紙で形成され、用紙収納部２に用紙が収納されている。
図５は用紙収納部２内に収納される用紙８の状態を示す図である。同図に示すように、用紙８は前述と同様巻き三つ折りに折り畳まれ、一の側端面８ａを用紙収納部２の底部に当接させて収納されている。一方、本例においては、折部８ｂは用紙収納部２の底部ではなく、用紙収納部２の突出部９に当接している。したがって、図５に示すように用紙８の折部８ｂの位置は側端面８ａの位置より高く、従って用紙８の先端面８ｃの位置は、折部８ｄの位置より高くなる。
【００２０】
図６は上記構成を達成するため、用紙ケース１の底部に突出部９が形成された状態を示す図である。例えば、突出部９は用紙ケース１の底部１０に切り込みを入れ、この切り込みをケースの内側に折り込んで作成する。このような突出部９は左右に２箇所形成され、突出部９ａ、９ｂによって用紙８の折部８ｂを保持する。
【００２１】
このように構成することにより、前述の実施形態に比べて用紙８の先端面８ｃの位置は、折部８ｄの位置より高くなり、用紙８の取り出しを更に容易に行うことができる。すなわち、用紙の側端面８ｃと折部８ｄ間に指を入れることなく、突出する用紙の内側の１枚を指で掴み、そのまま引き上げることによって用紙ケース１から用紙８をスムーズに取り出すことができる。
【００２２】
尚、本例においても、巻き三つ折りされた用紙８の収納に代えて、例えば二つ折り、又は蛇腹折した用紙を用紙収納部２に収納してもよい。このように構成することにより、更にサイズの大きな用紙をコンパクトに用紙ケースに収納し、用紙の取り出しを簡単に行うことができる。
【符号の説明】
【００２３】
１・・・用紙ケース
２・・・用紙収納部
３・・・蓋部
４・・・窓部
５・・・用紙
５ａ・・一の側端面
５ｂ・・折部
５ａ・・他の側端面
５ｂ・・折部
６・・・開口部
８・・・用紙
８ａ・・一の側端面
８ｂ・・折部
８ａ・・他の側端面
８ｂ・・折部
９、９ａ、９ｂ・・突出部
１０・・底部
【図１】
2011246184.tif 000003
【図２】
2011246184.tif 000004
【図３】
2011246184.tif 000005
【図４】
2011246184.tif 000006
【図５】
2011246184.tif 000007
【図６】
2011246184.tif 000008
【図７】
2011246184.tif 000009